(57)【要約】【課題】仮想的または物理的な複数の記憶領域に記憶される情報の振り分けを手間をかけずに行う。【解決手段】情報を記憶する記憶領域を仮想的または物理的に複数具備する記憶部１と、情報に対する操作を行うための操作部２と、記憶領域に記憶された情報を、その情報に対して操作部２に行われた操作に応じて決められた記憶領域に移動させるデータ制御部３とを有する。【選択図】図１
2013025749.tif 000002
【特許請求の範囲】
【請求項１】
情報を記憶する記憶領域を仮想的または物理的に複数具備する記憶手段と、
前記情報に対する操作を行うための操作手段と、
前記記憶領域に記憶された情報を、当該情報に対して前記操作手段に行われた操作に応じて決められた記憶領域に移動させるデータ制御手段とを有する情報記憶装置。
【請求項２】
請求項１に記載の情報記憶装置において、
前記データ制御手段は、前記操作手段に操作が行われた場合に情報を移動させる移動実施モードと、前記操作手段に前記操作が行われた場合でも情報を移動させない移動非実施モードとを切り替え可能とする情報記憶装置。
【請求項３】
請求項１または請求項２に記載の情報記憶装置において、
前記複数の記憶領域のうちの１つは、不要な情報を記憶するための不要情報記憶領域であり、
前記データ制御手段は、前記情報に対して前記操作手段に予め決められた操作が行われた場合、当該情報を前記不要情報記憶領域に移動させる情報記憶装置。
【請求項４】
情報記憶装置における情報記憶方法であって、
複数の仮想的または物理的な記憶領域のうち１つの記憶領域に情報を記憶する記憶処理と、
前記情報に対する操作を受け付ける操作受付処理と、
前記記憶領域に記憶された情報を、前記操作受付処理にて当該情報に対して受け付けられた操作に応じて決められた記憶領域に移動させる移動処理とを有する情報記憶方法。
【請求項５】
情報記憶装置に、
複数の仮想的または物理的な記憶領域のうち１つの記憶領域に情報を記憶する記憶手順と、
前記情報に対する操作を受け付ける操作受付手順と、
前記記憶領域に記憶された情報を、前記操作受付手順にて当該情報に対して受け付けられた操作に応じて決められた記憶領域に移動させる移動手順とを実行させるためのプログラム。
【発明の詳細な説明】
【技術分野】
【０００１】
本発明は、情報を記憶する情報記憶装置に関し、特に、情報を記憶する記憶領域を変更する技術に関する。
【背景技術】
【０００２】
近年、インターネットの普及に伴い、コンピュータや携帯電話機間で電子メールをやりとりすることが一般的となっている。電子メールは、電話とは異なり、相手の都合を鑑みることなく所望の時間に送信しておくことができ、また、ＦＡＸとは異なり、情報をデータで送信することができるという利点を有しているため、プライベートのみならず、ビジネスにおいても多くの人が利用している。
【０００３】
このような電子メールにおいては、送信した電子メールや受信した電子メールを、予め設定した振り分けルールに従ってカテゴリー別に分類する、いわゆるフォルダ振り分けが行われている（例えば、特許文献１参照）。例えば、受信した電子メールをその電子メールの送信元やタイトル毎に異なるフォルダに振り分ける。そのため、ユーザは振り分けルールを予め設定しておく必要がある。
【先行技術文献】
【特許文献】
【０００４】
【特許文献１】特開２００６−２６０２２１号公報
【発明の概要】
【発明が解決しようとする課題】
【０００５】
しかしながら、特に、受信または送信した電子メールを多くのフォルダに振り分ける場合、その振り分けルールを設定するのはユーザにとって非常に手間がかかる作業となってしまう。
【０００６】
また、振り分けルールを設定していない場合に受信または送信した電子メールや、振り分けルールに該当しない電子メールについては、デフォルトの受信フォルダや送信フォルダに記憶され、これらデフォルトの受信フォルダや送信フォルダに電子メールが溜まってしまうことになる。そして、デフォルトの受信フォルダや送信フォルダに記憶された電子メールの中から必要な電子メールを探すことに手間がかかってしまう。
【０００７】
本発明は、上述したような技術が有する問題点に鑑みてなされたものであって、仮想的または物理的な複数の記憶領域に記憶される情報の振り分けを手間をかけずに行うことができる情報記憶装置、情報記憶方法及びプログラムを提供することを目的とする。
【課題を解決するための手段】
【０００８】
上記目的を達成するために本発明は、
情報を記憶する記憶領域を仮想的または物理的に複数具備する記憶手段と、
前記情報に対する操作を行うための操作手段と、
前記記憶領域に記憶された情報を、当該情報に対して前記操作手段に行われた操作に応じて決められた記憶領域に移動させるデータ制御手段とを有する。
【０００９】
また、情報記憶装置における情報記憶方法であって、
複数の仮想的または物理的な記憶領域のうち１つの記憶領域に情報を記憶する記憶処理と、
前記情報に対する操作を受け付ける操作受付処理と、
前記記憶領域に記憶された情報を、前記操作受付処理にて当該情報に対して受け付けられた操作に応じて決められた記憶領域に移動させる移動処理とを有する。
【００１０】
また、情報記憶装置に実行させるためのプログラムであって、
複数の仮想的または物理的な記憶領域のうち１つの記憶領域に情報を記憶する記憶手順と、
前記情報に対する操作を受け付ける操作受付手順と、
前記記憶領域に記憶された情報を、前記操作受付手順にて当該情報に対して受け付けられた操作に応じて決められた記憶領域に移動させる移動手順とを情報記憶装置に実行させる。
【発明の効果】
【００１１】
本発明は以上説明したように構成されているので、仮想的または物理的な複数の記憶領域に記憶される情報の振り分けを手間をかけずに行うことができる。
【図面の簡単な説明】
【００１２】
【図１】本発明の情報記憶装置の概要を示すブロック図である。
【図２】図１に示した情報記憶装置の実施の一形態となる移動体通信端末の構成を示すブロック図である。
【図３】図２に示した移動体通信端末における受信メールの自動振り分け方法を説明するためのフローチャートである。
【図４】図２に示した移動体通信端末にて設定される移動実施モードを示す図である。
【図５】データ制御部に設定された電子メールの移動条件を示す図である。
【図６】図１に示した情報記憶装置の他の実施の形態となる移動体通信端末の構成を示すブロック図である。
【発明を実施するための形態】
【００１３】
以下に、本発明の実施の形態について図面を参照して説明する。
【００１４】
図１は、本発明の情報記憶装置の概要を示すブロック図である。
【００１５】
本発明の情報記憶装置は図１に示すように、記憶手段となる記憶部１と、操作手段となる操作部２と、データ制御手段となるデータ制御部３とから構成されている。
【００１６】
上記のように構成された情報記憶装置においては、記憶部１が、情報を記憶する記憶領域を仮想的または物理的に複数具備しており、この複数の記憶領域に情報を記憶するものである。操作部２は、記憶部１に記憶された情報に対する操作を行うためのものであり、記憶部１に記憶された情報に対して操作部２にて操作が行われると、データ制御部３において、記憶部１に記憶された情報をその操作に応じて決められた記憶領域に移動させる。
【００１７】
以下に、上述した情報記憶装置について具体的な例を挙げて説明する。
【００１８】
図２は、図１に示した情報記憶装置の実施の一形態となる移動体通信端末の構成を示すブロック図である。
【００１９】
本形態における移動体通信端末は図２に示すように、アンテナ７０と、表示部４０と、スピーカ５０と、マイクロフォン６０と、図１に示した記憶部１に相当する記憶部１０と、図１に示した操作部２に相当する操作部２０と、制御部３０とを有しており、アンテナ７０と、表示部４０と、スピーカ５０と、マイクロフォン６０及び操作部２０が、移動体通信端末の外面に設けられており、記憶部１０及び制御部３０が、移動体通信端末の内部に設けられている。
【００２０】
アンテナ７０は、移動体通信端末の外部から入力される電磁波をアナログ信号に変換し、また、送信信号を電磁波に変換して空中に放射する。
【００２１】
表示部４０は、例えば液晶表示装置等から構成され、移動体通信端末による種々の動作を実行するための文字や画像等を表示する。
【００２２】
スピーカ５０は、音声通話における着話音声や、着信音等を出力する。
【００２３】
マイクロフォン６０は、音声通話時のユーザの発話音声を入力するためのものである。
【００２４】
操作部２０は、例えば十字カーソルキーや、数字や文字を入力するための英数字キー、あるいは表示部４０に表示されるソフトキー等、移動体通信端末の機能や動作等を指定するためのボタン等から構成され、ユーザによって操作されるものである。
【００２５】
記憶部１０は、情報を記憶するものであって、移動体通信端末が動作するための動作プログラムを記憶している他に、送受信された電子メールを、複数の仮想的な記憶領域となるフォルダ１１−１〜１１−ｎに振り分けて記憶する。
【００２６】
制御部３０は、動作制御部３１と、図１に示したデータ制御部３に相当するデータ制御部３２とから構成されている。
【００２７】
動作制御部３１は、記憶部１０に記憶された動作プログラムに基づいて、操作部２０に対する操作やアンテナ７０を介して受信した信号に応じて移動体通信端末の動作を制御する。
【００２８】
データ制御部３２は、送受信された電子メールの記憶部１０への記憶を制御するためのものであって、記憶部１０に記憶された情報に対して操作部２０にて操作が行われた場合に、タイマー管理を含む内部のプログラム制御によって、記憶部１０に記憶された情報をその操作に応じて決められたフォルダ１１−１〜１１−ｎに振り分けて記憶させる。
【００２９】
以下に、上記のように構成された移動体通信端末における情報記憶方法について受信メールの自動振り分け方法を例に挙げて説明する。
【００３０】
図３は、図２に示した移動体通信端末における受信メールの自動振り分け方法を説明するためのフローチャートである。
【００３１】
移動体通信端末において、アンテナ７０を介して電子メールを受信すると（ステップ１）、まず、データ制御部３２が、受信した電子メールをデフォルトとして設定されているフォルダ１１−１に記憶させる（ステップ２）。
【００３２】
その後、ユーザが、操作部２０に対してデフォルトとして設定されているフォルダ１１−１を開く操作を行うと、動作制御部３１は、フォルダ１１−１に記憶された電子メールの一覧を表示部４０に表示する（ステップ３）。
【００３３】
データ制御部３２は、フォルダ１１−１に記憶された電子メールを他のフォルダに移動する移動実施モードがＯＮに設定されているかどうかを確認する（ステップ４）。
【００３４】
ここで、移動実施モードは、移動体通信端末のメニュー画面の設定から不要メールを設定する項目にて設定することができる。
【００３５】
図４は、図２に示した移動体通信端末にて設定される移動実施モードを示す図である。
【００３６】
図４に示すように、移動実施モードがＯＮに設定されている場合は、受信した電子メールを記憶するためにデフォルトとして設定されているフォルダ１１−１に記憶された電子メールを他の特定のフォルダに移動させる動作をデータ制御部３２が行い、また、移動実施モードがＯＦＦに設定されている場合は、受信した電子メールを記憶するためにデフォルトとして設定されているフォルダ１１−１に記憶された電子メールを他の特定のフォルダに移動させる動作を行わない。
【００３７】
移動実施モードがＯＮに設定されている場合は、データ制御部３２は、フォルダ１１−１に記憶されてステップ３にて一覧表示された電子メールのうち、開封された電子メールがあるかどうかを確認し（ステップ５）、開封された電子メールがある場合、その開封された電子メールに対して、他の特定のフォルダに移動させるための操作が行われてその操作が受け付けられたかどうかを確認する（ステップ６）。
【００３８】
データ制御部３２においては、フォルダ１１−１に記憶された電子メールを他の特定のフォルダに移動させるための操作内容が予め設定されている。
【００３９】
図５は、データ制御部３２に設定された電子メールの移動条件を示す図である。
【００４０】
図５に示すように、データ制御部３２においては、フォルダ１１−１に記憶された電子メールを他のフォルダに移動させるための操作内容が、その移動先のフォルダに対応して設定されている。例えば、ステップ５にて開封が確認された電子メールの開封後、０．５秒以内に電子メールが閉じられた場合は、その電子メールの移動先として不要情報記憶領域となるフォルダ１１−１０が設定されており、また、ステップ５にて開封が確認された電子メールに対して、予め重要キーとして決められたボタンが押下された場合は、その電子メールの移動先として重要メールフォルダとなるフォルダ１１−２が設定されており、また、ステップ５にて開封が確認された電子メールに対して、その電子メールの全文が表示部４０に表示されていないにも関わらずスクロール表示するための操作が行われずに電子メールが閉じられた場合は、その電子メールの移動先として不要情報記憶領域となるフォルダ１１−１０が設定されている。なお、ステップ５にて開封が確認された電子メールの開封後、０．５秒以内に電子メールが閉じられた場合や、ステップ５にて開封が確認された電子メールの全文が表示部４０に表示されずに電子メールが閉じられた場合は、移動体通信端末のユーザが、その電子メールを閲覧する意思がない、もしくは薄い不必要な電子メールとみなし、その移動先として不要情報記憶領域となるフォルダ１１−１０が設定されている。また、この設定は、データ制御部３２に設定されている構成に限らず、記憶部１０に記憶されており、データ制御部３２が記憶部１０にアクセスしてこの設定を取得する構成としてもよい。
【００４１】
データ制御部３２は、ステップ３にて一覧表示された電子メールのうちステップ５にて開封が確認された電子メールに対して、図５に示したように設定された操作が行われたことを確認すると、その電子メールをフォルダ１１−１からその操作に応じたフォルダに移動させる（ステップ７）。例えば、ステップ５にて開封が確認された電子メールの開封後、タイマー管理にて時間計測を行い、０．５秒以内に電子メールが閉じられた場合は、その電子メールをフォルダ１１−１からフォルダ１１−１０に移動させ、また、ステップ５にて開封が確認された電子メールに対して、予め重要キーとして決められたボタンが押下された場合は、その電子メールをフォルダ１１−１からフォルダ１１−２に移動させ、また、ステップ５にて開封が確認された電子メールに対して、その電子メールの全文が表示部４０に表示されていないにも関わらずスクロール表示するための操作が行われずに電子メールが閉じられた場合は、その電子メールをフォルダ１１−１からフォルダ１１−１０に移動させる。
【００４２】
また、ステップ４にて移動実施モードがＯＮに設定されていない場合、すなわち、移動非実施モードである場合や、ステップ５にて開封された電子メールがない場合や、ステップ６にて特定の操作が行われていない場合は、処理を終了する。
【００４３】
このように本形態においては、予め決められた移動体通信端末に対する操作内容に応じて、記憶部１０に記憶された電子メールを特定のフォルダに移動させるため、不必要な電子メールや重要な電子メールが移動体通信端末に対する操作に応じてそれぞれ特定のフォルダに自動的に移動することとなり、受信した電子メールを記憶するためにデフォルトとして設定されているフォルダ１１−１が、ユーザの手間をかけることなく、受信した電子メールであふれることがなくなる。
【００４４】
（他の実施の形態）
図６は、図１に示した情報記憶装置の他の実施の形態となる移動体通信端末の構成を示すブロック図である。
【００４５】
本形態における移動体通信端末は図６に示すように、図２に示したものに対して、記憶部１１０が、物理的な記憶領域となる内部メモリ１１１と外部メモリ１１２とを有する点が異なるものである。
【００４６】
本形態における移動体通信端末においても、データ制御部３２において、予め決められた操作に応じて、内部メモリ１１１に記憶された電子メールを外部メモリ１１２に移動させることになる。そのため、例えば、内部メモリ１１１に記憶された電子メールのうち重要な電子メールだけを外部メモリ１１２に自動的に移動させ、その外部メモリ１１２を移動体通信端末から取り外して他の端末等の情報処理装置にて利用することができる。
【００４７】
なお、上述した実施の形態においては、記憶部１０，１１０に記憶される情報として受信した電子メールを例に挙げて説明したが、記憶部１０，１１０に記憶される情報としてはこれに限らず、送信した電子メールや、電子メールデータ以外のものであってもよい。また、図６に示したものにおいては、内部メモリ１１１に記憶された情報を外部メモリ１１２に移動させるものに限らず、外部メモリ１１２に記憶された情報を内部メモリ１１１に移動させるものであってもよい。
【００４８】
また、本発明の情報記憶装置は、上述したような移動体通信端末やスマートフォンに限らず、携帯音楽プレーヤーや携帯ゲーム機、タブレットＰＣやノートＰＣ等、さらには携帯型ではなく一般的なＰＣ等であってもよい。
【００４９】
また、本発明においては、情報記憶装置内の処理は上述の専用のハードウェアに基づいて実現されるもの以外に、その機能を実現するためのプログラムを情報記憶装置にて読取可能な記録媒体に記録し、この記録媒体に記録されたプログラムを情報記憶装置に読み込ませ、実行するものであっても良い。情報記憶装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、情報記憶装置に内蔵されたＨＤＤ等を指す。この記録媒体に記録されたプログラムは、例えば、制御ブロックにて読み込まれ、制御ブロックの制御に基づいて、上述したものと同様の処理が行われる。
【符号の説明】
【００５０】
１，１０，１１０    記憶部
２，２０    操作部
３，３２    データ制御部
１１−１〜１１−ｎ    フォルダ
３０    制御部
３１    動作制御部
４０    表示部
５０    スピーカ
６０    マイクロフォン
７０    アンテナ
１１１    内部メモリ
１１２    外部メモリ
【図１】
2013025749.tif 000003
【図２】
2013025749.tif 000004
【図３】
2013025749.tif 000005
【図４】
2013025749.tif 000006
【図５】
2013025749.tif 000007
【図６】
2013025749.tif 000008